(57)【要約】【課題】  起立状態のアップライト型掃除機のロータリーブラシで絨毯を傷付けることを防止する。【解決手段】  掃除機本体１を起立させると、吸引ヘッド２上の切替え部材51が掃除機本体１上の凸部50に係合して移動し、周回ベルト４を自動的に回転掻上げ部材３上の空転プーリ35に掛け替えて、回転掻上げ部材３の回転を止める。従って、掃除機本体１が起立した状態の掃除機が、回転掻上げ部材３で絨毯を擦って絨毯を傷つけることはない。掃除機本体１を傾けると、切替え部材51が凸部50から外れて、バネ付勢によって移動し、周回ベルト４を自動的に駆動プーリ34に掛け替えて回転掻上げ部材３を回転させることができる。【選択図】  図４
2006081783.tif 000002
【特許請求の範囲】
【請求項１】
縦長の掃除機本体(１)の下端に傾動可能に吸引ヘッド(２)を設け、該吸引ヘッドの吸口部(21)に横長の回転掻上げ部材(３)を設け、回転掻上げ部材回転駆動用の周回ベルト(４)を掛替え手段(５)によって回転掻上げ部材(３)上の駆動プーリ(34)と空転プーリ(35)に掛け替えて、回転掻上げ部材(３)の回転と回転停止を切り替えるアップライト型掃除機において、ベルト掛替え手段(５)は、吸引ヘッド(２)上にて移動可能に支持され周回ベルト(４)を部分的に挟んで駆動プーリ(34)又は空転プーリ(35)に切り替える切替え部材(51)と、掃除機本体(１)の側面に形成され切替え部材(51)に係脱して該切替え部材をベルト切替え方向に移動させる凸部(50)又は凹部と、切替え部材(51)を掃除機本体(１)の凸部(50)又は凹部側に付勢するバネ(58)とによって構成され、掃除機本体(１)が起立姿勢のとき、掃除機本体(１)の凸部(50)又は凹部に切替え部材(51)が係合して周回ベルト(４)は空転プーリ(35)に掛かるアップライト型掃除機。
【請求項２】
切替え部材(51)は、周回ベルト(４)を少し余裕のある状態に挟む逃し部(53)を有し吸引ヘッド(２)に回動可能に配備された切替えレバー(52)と、該切替えレバー(52)に係合しバネ(58)に付勢されて掃除機本体(１)側に押圧され掃除機本体(１)が起立姿勢から傾き姿勢に、或いは傾き姿勢から起立姿勢に姿勢を変える際に、掃除機本体(１)上の凸部(50)又は凹部に係脱することによってスライドして切替えレバー(52)を回動させるスライド部材(56)とによって構成される請求項１に記載のアップライト型掃除機。
【請求項３】
縦長の掃除機本体(１)の下端に傾動可能に吸引ヘッド(２)を設け、吸引ヘッド(２)の吸口部(21)に横長の回転掻上げ部材(３)を設け、回転掻上げ部材回転駆動用の周回ベルト(４)を掛替え手段(５)によって回転掻上げ部材(３)上の駆動プーリ(34)と空転プーリ(35)に掛け替えて、回転掻上げ部材(３)の回転と回転停止を切替えるアップライト型掃除機において、ベルト掛替え手段(５)は、吸引ヘッド(２)上にて回動可能に支持され周回ベルト(４)を部分的に少し余裕のある状態に挟んで駆動プーリ(34)又は空転プーリ(35)に切り替える切替えレバー(52)と、掃除機本体(１)の側面に形成され該切替えレバー(52)に直接に又は間接的に係脱して切替えレバー(52)を回動させる凸部(50)又は凹部と、吸引ヘッド(２)上に設けられ切替えレバー(52)に連繋した足踏みペタル(７)とによって構成され、掃除機本体(１)が傾いた状態では、足踏みペタル(７)の操作によって切替えレバー(52)を回動させて、周回ベルト(４)を回転掻上げ部材(３)の駆動プーリ(34)と空転プーリ(35)に選択的に掛替えができ、掃除機本体(１)が起立した状態では、吸引ヘッド(２)上の凸部(50)又は凹部が切替えレバー(52)直接又は間接的に係合して周回ベルト(４)を空転プーリ(35)に掛け替えるアップライト型掃除機。
【請求項４】
吸口部(21)の後壁(28)には回転掻上げ部材(３)によって掻き上げられたダストが回転掻上げ部材(３)の回転方向に移動すること防止するリブ(61)が設けられている請求項１乃至３の何れかに記載のアップライト型掃除機。
【請求項５】
吸引ヘッド(２)のケーシングはケーシングアッパー部(26)とケーシングロアー部(27)とからなり、吸口部(21)の後壁(28)において、アッパー後壁(28a)とロアー後壁(28b)との突合せ端部はシール部材(６)によってシールされている請求項１乃至４の何れかに記載のアップライト型掃除機。
【請求項６】
シール部材(６)にリブ(61)が形成されている請求項５に記載のアップライト型掃除機。
【請求項７】
吸口部(21)は後壁(28)に接近した一端側に吸引ホース(25)が接続され、吸口部(21)の後壁に接近した他端側にてケーシングロアー部(27)に掃除機外部に開口する貫通孔(20)が開設されている請求項４乃至６の何れかに記載のアップライト型掃除機。
【請求項８】
縦長の掃除機本体(１)の下端に傾動可能に吸引ヘッド(２)を設け、吸引ヘッドの該吸口部(21)に横長の回転掻上げ部材(３)を設けたアップライト型掃除機において、吸引ヘッド(２)のケーシングはケーシングアッパー部(26)とケーシングロアー部(27)とからなり、吸口部(21)の後壁(28)において、アッパー後壁(28a)とロアー後壁(28b)との突合せ端部をシール材(６)にてシールし、回転掻上げ部材(３)によって掻き上げられたダストが回転掻上げ部材(３)の回転方向に移動すること防止するリブ(61)をシール材(６)に突設しているアップライト型掃除機。
【請求項９】
吸口部(21)は後壁(28)に接近した一端側に吸引ホース(25)が接続され、吸口部(21)の後壁に接近した他端側にてケーシングロアー部(27)に掃除機外部に開口する貫通孔(20)が開設されている請求項８に記載のアップライト型掃除機。
【発明の詳細な説明】
【技術分野】
【０００１】
本発明は、縦長の掃除機本体の下端に傾動自在に吸引ヘッドを具えたアップライト型掃除機に関するものである。
【背景技術】
【０００２】
図１に示す様に、アップライト型の真空掃除機は、縦長の掃除機本体(１)と、該本体の下端に、矢印Ａ方向に傾動可能に吸引ヘッド(２)を取り付けて構成されている。
以下の説明で、「前」とは掃除機の前進側である。
掃除機本体(１)は、下端に吸引用モータ(11)、下端後部に移動用車輪(14)、吸引用モータ(11)の上方に該モータの吸引力が作用する吸引ダスト収容部(12)を具えている。吸引ダスト収容部(12)は第１ホース(15)によって吸引ヘッド(２)に繋がっている。
掃除機本体(１)の上端には移動用ハンドル(13)が配備され、該ハンドルは吸引ノズル(17)突設して吸引ノズル(17)のハンドルを兼用している。
吸引ノズル(17)は第２ホース(16)よって吸引ダスト収容部(12)に繋がっている。
前記吸引ダスト収容部(12)の後部から上向きに、吸引ノズル受け筒(18)が突設されている。床面や絨毯の掃除の際は、吸引ノズル(17)を受け筒(18)に嵌めて、ハンドル(13)を支持して掃除機を移動させる。
階段、家具の隙間等、狭い場所を掃除する際は、受け筒(18)から吸引ノズル(17)を抜き外して、該吸引ノズル(17)で掃除する。
【０００３】
図４は、本願発明を実施した吸引ヘッドの底面図であるが、図４を用いて従来例を説明する。
吸引ヘッド(２)は、左右に長い吸口部(21)の両端側から後方にアーム(23)(23)を突設してコ字状に形成され、アーム(23)(23)間に掃除機本体(１)の下端を挟み、前記吸引用モータ(11)のモータ軸(10)を中心に揺動用可能に掃除機本体(１)に支持されている。
吸口部(21)の一端は、吸引ホース(25)及前記第１ホース(15)を介して吸引ダスト収容部(12)に繋がっている。
吸口部(21)は下面が開口(22)して、内部に回転掻上げ部材(３)が回転可能に配備されている。実施例の回転掻上げ部材(３)は筒体(31)の外周に螺旋状にブラシ毛(32)を突設したロータリーブラシ(3a)である。
【０００４】
上記ロータリーブラシ(3a)の支持軸(33)の一端側に駆動プーリ(34)と空転プーリ(35)が、空転プーリ(35)を外側にして隣り合わせて嵌まっており、前記吸引用モータ(11)のモータ軸(10)に掛かった周回ベルト(４)が、ベルト掛替え手段(５)(例えば特許文献１)によって駆動プーリ(34)と空転プーリ(35)に選択的に掛け替えられる。
周回ベルト(４)が駆動プーリ(34)に掛かるとロータリーブラシ(3a)は回転し、周回ベルト(４)が空転プーリ(35)に掛かると、空転プーリ(35)は空回りするだけでロータリーブラシ(3a)は回転しない。
【０００５】
絨毯掃除を行なうときは、掃除機本体(１)を傾け、ロータリーブラシ(3a)を回転させた状態で掃除機を前進或いは後退させる。ロータリーブラシ(3a)が絨毯上や毛足に潜り込んだダストを掻き上げて、効果的にダストを吸引できる。
吸引ノズル(17)を使用する際は、掃除機本体(１)を起立状態にしておくことが多い。
毛足の長い絨毯上で、掃除機本体(１)を起立させた状態で吸引ノズル(17)を用いて掃除を行なう場合、ロータリーブラシ(3a)が絨毯に当たる。ロータリーブラシ(3a)が回転していると絨毯の同じ部分を繰り返し擦ることになり、絨毯を傷める。毛足の短い絨毯であっても、図２に示す如く、吸引ノズル(17)を前方に引っ張った場合、掃除機本体(１)が前傾して、吸引ヘッド(２)の前部が絨毯に押しつけられて、ロータリーブラシ(3a)が絨毯に届いて絨毯を部分的に傷める虞れがあった。
【０００６】
又、掃除機本体(１)の吸引ヘッド(２)のケーシングは、図１４に示す如く、ケーシングアッパー部(26)とケーシングロアー部(27)からなり、ロータリーブラシ(3a)に接近する吸口部(21)の後壁(28)も、アッパー後壁(28a)とロアー後壁(28b)からなっている。
ロータリーブラシ(3a)で掻き上げられたダストは、吸口部(21)内で回転しながら前記吸引ホース(25)にて吸引ダスト収容部(12)に吸引されるが、その間に、一度掻き上げられたダストが、吸口部(21)の内壁に沿ってロータリーブラシ(3a)の回りを回転するため、吸引ヘッド(２)の開口(22)の前部より飛び出してしまい、吸込み性能を低下させる要因となっている。更に、吸口部(21)の前記アッパー後壁(28a)とロアー後壁(28b)の突合せ部(28c)は、それら後壁倒(28a)(28b)の倒れ等によって隙間が生じ、吸口部(21)内の真空度が低下し易い問題があった。
【０００７】
【特許文献１】特開平１１−５６７１３号公報
【発明の開示】
【発明が解決しようとする課題】
【０００８】
特許文献１のベルト掛替え手段(５)は、掃除機本体(１)を起立させると、自動的に周回ベルト(４)が空転プーリ(35)に切り替わる様になっているが、ベルト掛替え手段(５)の構成が複雑であり、掃除機本体(１)を傾ける場合、必ず足踏みペダルを操作する必要があって面倒である。
本発明は、足踏みペタル操作することなく、掃除機本体(１)を起立させれば自動的にロータリーブラシ(3a)等の回転掻上げ部材(３)の回転を停止させることができるアップライド型掃除機を明らかにするものである。
又、本発明は、吸込み性能を向上させることのできる掃除機を明らかにするものである。
【課題を解決するための手段】
【０００９】
本発明は、縦長の掃除機本体(１)の下端に傾動可能に吸引ヘッド(２)を設け、該吸引ヘッドの吸口部(21)に横長の回転掻上げ部材(３)を設け、回転掻上げ部材回転駆動用の周回ベルト(４)を掛替え手段(５)によって回転掻上げ部材(３)の駆動プーリ(34)と空転プーリ(35)に掛け替えて、回転掻上げ部材(３)の回転と回転停止を切り替えるアップライト型掃除機において、ベルト掛替え手段(５)は、吸引ヘッド(２)上にて移動可能に支持され周回ベルト(４)を部分的に挟んで駆動プーリ(34)又は空転プーリ(35)に切り替える切替え部材(51)と、掃除機本体(１)の側面に形成され掃除機本体(１)が起立姿勢の状態で、切替え部材(51)に係合して該切替え部材を空転プーリ(35)へ切り替える方向に移動させる凸部(50)又は凹部と、切替え部材(51)を掃除機本体(１)の凸部(50)又は凹部側に付勢するバネ(58)とによって構成される。
【００１０】
又、本発明の掃除機は、吸口部(21)の後壁(28)には回転掻上げ部材(３)によって掻き上げられたダストが回転掻上げ部材(３)の回転方向に移動すること防止するリブ(61)が設けられている。
【発明の効果】
【００１１】
アップライト型掃除機は、掃除機本体(１)を起立させると、吸引ヘッド(２)上の切替え部材(51)が掃除機本体(１)上の凸部(50)又は凹部に係合して移動し、周回ベルト(４)を自動的に回転掻上げ部材(３)上の空転プーリ(35)に掛け替えて、回転掻上げ部材(３)の回転を止める。
従って、掃除機本体(１)が起立した状態の掃除機が、回転掻上げ部材(３)で絨毯を繰り返し擦って絨毯を傷つけることはない。
掃除機本体(１)を傾けると、切替え部材(51)が凸部(50)又は凹部から外れて、バネ付勢によって移動し、周回ベルト(４)を自動的に駆動プーリ(34)に掛け替えて回転掻上げ部材(３)を回転させることができる。
傾き状態の掃除機本体(１)を起立させるとき、或いは起立状態の掃除機本体(１)を傾けるときに、足踏みペタルの操作は一切必要なく、単に、掃除機本体(１)を起立又は傾けるだけで済み、回転掻上げ部材(３)の回転、回転停止の切替えに特別の操作は不要である。  吸引ヘッド(２)上の切替え部材(51)を、掃除機本体(１)上の凸部(50)又は凹部に係脱させて移動させるため、ベルト掛替え手段(５)の構成を簡素化できる。
【００１２】
回転掻上げ部材(３)によって後方へ掻き上げられたダストは、リブ(41)に当たって下方に溜まるため、回転掻上げ部材(３)の回転方向に回転して吸口部(21)の開口(22)の前部から外側に排出されて吸引性能を低下させることを防止できる。
【発明を実施するための最良の形態】
【００１３】
アップライト型の真空掃除機についての基本構成は、「背景技術」で説明済みであるから説明は省略する。
本発明のアップライト型掃除機の特徴は、図３、図４に示す如く、モータ軸(10)に掛けた周回ベルト(４)を、ロータリーブラシ(3a)の支持軸(33)上の駆動プーリ(34)と空転プーリ(35)に選択的に掛け替えるベルト掛替え手段(５)にある。
支持軸(33)の端部にて、外側空転プーリ(35)、内側に駆動プーリ(34)が位置している。
ベルト掛替え手段(５)は、吸引ヘッド(２)のモータ軸(10)側のアーム(23)内に一部を掃除機本体(１)側に臨出して配備され周回ベルト(４)の周回移行路を駆動プーリ(34)側と空転プーリ(35)側に切り替える切替え部材(51)と、掃除機本体(１)に突設され切替え部材(51)の臨出部に当接して周回ベルト(４)が空転プーリ(35)に掛かる様に切替え部材(51)を移動させる凸部(50)と、切替え部材(51)を掃除機本体(１)側に付勢するバネ(58)とによって構成される。
【００１４】
実施例の切替え部材(51)は、図３、図４、図７に示す如く、モータ軸(10)の近傍にてモータ軸(10)と直交する支軸(54)に基端を回転可能に支持された切替えレバー(52)と、一端がアーム(23)の側壁を貫通して掃除機本体(１)側に出没して前記掃除機本体(１)上の凸部(50)に係脱し切替えレバー(52)を回動させるスライド部材(56)とによって構成され、スライド部材(56)はバネ(58)によって掃除機本体(１)側に付勢されている。
【００１５】
切替えレバー(52)は、プーリ(34)(35)側自由端に、先端が開口したＵ字状の周回ベルト案内部(53)を支軸(54)と平行に突設している。周回ベルト案内部(53)の内側逃し部(53a)を周回ベルト(４)が少し余裕のある状態に走行する。
切替えレバー(52)の背面に突軸(55)が設けられ、該背面に摺接して配備されたスライド部材(56)の切欠(57)に該突軸(55)が嵌まり、スライド部材(56)のスライドによって切替えレバー(52)が回動する。
スライド部材(56)には、先端側にストッパ部(57a)が設けられ、該ストッパ部(57a)が吸引ヘッド(２)のアーム(23)壁面の孔縁に当たって、先端部(57b)だけがアーム(23)の外部に出没する。
【００１６】
図５に示す如く、掃除機本体(１)の上記切替え部材(51)側の側面に、スライド部材(56)の先端面に係脱する凸部(50)が突設される。
凸部(50)は、吸引ヘッド(２)の傾動中心であるモータ軸(10)からストッパ部(57a)までの距離と同じ距離だけモータ軸(10)から離れた位置にあって、モータ軸(10)を曲率中心とする円弧状に形成されている。
凸部(50)は、案内斜面(50a)に連続して平坦山部(50b)を有し、図５に示す掃除機本体(１)の傾き状態から、掃除機本体(１)を起立させる少し手前でスライド部材(56)の先端が凸部(50)の案内斜面(50a)に乗り上げ、掃除機本体(１)が起立するスライド部材(56)の先端が平坦山部(50b)に乗り上げ、バネ(58)に抗してスライドして切替えレバー(52)を回動させる。
【００１７】
図１３に示す如く、吸引ヘッド(２)のケーシングはケーシングアッパー部(26)とケーシングロアー部(27)とからなり、吸口部(21)内部のロータリーブラシ(3a)に接近した後壁(28)において、アッパー後壁(28a)とロアー後壁(28b)との突合せ端部間はシール材(６)を介装してシールされている。
シール材(６)は断面Ｕ字状であって、ロアー後壁(28b)の上端縁に嵌まり込み、アッパー後壁(28a)の下端がパッキン(６)に押圧ぎみに当たっている。
シール材(６)の全長に亘ってロータリーブラシ(3a)に側にリブ(61)が突設されている。
リブ(61)は、斜め前方下向きに突出し、ロータリーブラシ(3a)に接触しない程度に接近している。
ケーシングロアー部(27)の底部にはロアー後壁(28b)を共用して左右に延びリブ(61)の下方に位置する溝部(29)を形成している。
図４に示す如く、溝部(29)の底面には、前記吸引ホース(25)とは反対側端部に掃除機の外部に開口する貫通孔(20)が開設されている。
【００１８】
然して、本発明のアップライト型掃除機は、図５に示す如く、傾いた状態の掃除機本体(１)を図３に示す如く起立させると、吸引ヘッド(２)上のスライド部材(56)が、掃除機本体(１)上の凸部(50)の案内斜面(50a)を経て平坦山部(50b)に乗り上げて、バネ(58)に抗して、内側へスライドし、切替えレバー(52)を外側に回転させる。これによって、周回ベルト(４)の移行路は、ロータリーブラシ(3a)上の内側の駆動プーリ(34)側から外側の空転プーリ(35)側に変わり、周回ベルト(４)は空転プーリ(35)に掛かってロータリーブラシ(3a)の回転は自動的に停止する。従って、掃除機が毛足の長い絨毯の上にあっても、ロータリーブラシ(3a)が絨毯の同じ箇所を擦って傷つけることはない。
図５に示す如く、掃除機本体(１)を倒すと、掃除機本体(１)上の凸部(50)は、吸引ヘッド(２)上のスライド部材(56)から外れる。スライド部材(56)はバネ(58)によって突き出し方向に付勢されているから、先端をアーム(23)の壁面から突き出す方向にスライドして、切替えレバー(52)を内側に回転させ、周回ベルト(４)を駆動プーリ(34)に掛け替える。これによってロータリーブラシ(3a)は回転して、絨毯の毛足に潜り込んだダストまでも掻き上げて、効率的にダストを吸引できる。
【００１９】
上記の如く、掃除機本体(１)を起立させると自動的にロータリーブラシ(3a)の回転を止めることができ、掃除機本体(１)を傾けると自動的にロータリーブラシ(3a)を回転させることができ、ロータリーブラシ(3a)の回転、回転停止の切替えに特別の操作は不要である。
【００２０】
吸口部(21)の後壁(28)を構成するアッパー後壁(28a)とロアー後壁(28b)の突合せ部(28c)は、シール材(６)によってシールされているため、従来の様に、突合せ部(28c)に隙間が生じて吸口部(21)の真空度を低下させて、吸込み能力が落ちることを防止できる。
回転掻上げ部材(３)によって後方へ掻き上げられたダストは、リブ(41)に当たって下方の溝部(29)に溜まるため、従来の様に、ダストが回転掻上げ部材(３)の回転方向に回転して吸口部(21)の開口(22)の前部から外側に排出されて吸引性能を低下させること防止できる。
溝部(29)の吸引ホース(25)とは反対側にてケーシングロアー部(27)に貫通孔(20)が開設されているから、該貫通孔(20)と吸引ホース(25)との間に該ホース側に向かう空気流が生じ、リブ(41)に当たって落下して溝部(29)に溜まったダストを効率よく吸引ホース(25)側に運ぶことができる。
【００２１】
図８乃至図１２は、掃除機本体(１)が傾いている状態でも、ロータリーブラシ(3a)の回転を停止し、又、回転を再開できる足踏みペタル(７)を前記切替えレバー(52)に連繋した他の実施例を示している。
足踏みペタル(７)は中央部にブラケット(71)を突設し、該ブラケット(71)と切替えレバー(52)の基端側をリンク(72)によって枢支連結している。
リンク(72)の切替えレバー(52)側の枢軸(72a)は、切替えレバー(52)の回転支軸(54)の反対側に位置している。
図８に示す如く、足踏みペタル(７)は、吸引ヘッド(２)のアーム(23)の上面から臨出して中央部の支点(70)を中心に回動可能に取り付けられ、トーション(59)に付勢されている。
該トーションバネ(59)は、足踏みペタル(７)をＯＮ−ＯＦＦの２位置で保持できるスナップアクションバネである。
前記第１実施例のスライド部材(56)を付勢するバネ(58)は省略されている。
【００２２】
図８に示す如く、足踏みペタル(７)をＯＦＦ側に踏み込むと、図１０に示す如く、切替えレバー(52)が支軸(54)を中心に外側に回転して、周回ベルト(４)を空転プーリ(35)に掛け替えて、ロータリーブラシ(3a)の回転を止める。
図１１に示す如く、足踏みペタル(７)をＯＮ側に踏み込むと、図１２に示す如く、切替えレバー(52)が支軸(54)を中心に外側に回転して、周回ベルト(４)を駆動プーリ(34)に掛け替えて、ロータリーブラシ(3a)を回転させる。
図８に示す如く、掃除機本体(１)が起立してる状態で、足踏みペタル(７)をＯＮ側に踏んでも、スライド部材(56)が掃除機本体(１)上の凸部(50)に当たっているから、ペタル(７)は動かず、ロータリーブラシ(3a)が回転することはない。
上記足踏みペタル(７)は、掃除機本体(１)が傾いている状態で、ロータリーブラシ(3a)の回転停止と、回転再開の切替えができるものであって、前記特許文献１の足踏みペタルの様に、掃除機本体(１)を倒す際に踏み込むものとは働きが異なる。
【００２３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２４】
例えば、実施例では、ベルト掛替え手段(５)の切替え部材(51)は、切替えレバー(52)とスライド部材(56)からなるが、切替え部材(51)の一部を吸引ヘッド(２)のアーム(23)から臨出させて、スライド部材(56)を省略することができる。この場合、切替えレバー(52)の該臨出部に直接に掃除機本体(１)上の凸部(50)を係脱させることによって切替えレバー(52)を回動させ、周回ベルト(４)を駆動プーリ(34)と空転プーリ(35)に選択的に掛け替えることができる。
バネ(58)は、直接に切替えレバー(52)を内向きに付勢する様に取り付ければよい。
【００２５】
又、実施例では、切替え部材(51)を掃除機本体(１)の凸部(50)に当てて移動させたが、掃除機本体(１)に、凸部(50)に替えて凹部(図示せず)を設け、切替え部材(51)を凹部に係脱させて切替え部材(51)を周回ベルト(４)切替え方向に移動させることができる。
この場合、切替えレバー(52)は、内側に回動した状態で、周回ベルト(４)は空転プーリ(35)に掛かる様にしなければならず、駆動プーリ(34)と空転プーリ(35)の位置が反対、即ち、ロータリーブラシ(3a)の支持軸(33)上の内側に空転プーリ、外側に駆動プーリを位置させる。
【００２６】
又、切替え部材(51)から切替えレバー(52)を省略し、スライド部材(56)に周回ベルト(４)を少し余裕のある状態に通過させる溝状の逃し部を形成し、スライド部材(56)のスライドによって、周回ベルト(４)の周回移行路を変えて、駆動プーリ(34)と空転プーリ(35)に掛け替えることも可能である。
【００２７】
又、実施例では、絨毯上及び毛足の間に潜りこんだダストを掻き出すだめの回転跳上げ部材(３)はロータリーブラシ(3a)であるが、これに限らず、円筒体の表面に、軸方向に延びる、或いは螺旋状に延びる可撓性のリブを突設し、該リブをブラシ毛(32)に代わる掻上げ片とする等、回転によって絨毯上或いは絨毯の毛足内のダストを掻き上げる機能があれば、構成は問わない。
【図面の簡単な説明】
【００２８】
【図１】掃除機本体を起立させた状態のアップライト型掃除機の側面図である。
【図２】同上の前傾した状態の側面図である。
【図３】回転掻上げ部材の駆動系を断面で示した掃除機の下部説明図である。
【図４】周回ベルトが空転プーリに掛かっている状態の掃除機の底面図である。
【図５】掃除機本体を後傾した状態の掃除機下部の説明図である。
【図６】周回ベルトが駆動プーリに掛かっている状態の掃除機の底面図である。
【図７】ベルト掛替え手段の斜面図である。
【図８】ベルト掛替え手段に足踏みペタルを連繋した第２実施例の掃除機下部の説明図である。
【図９】足踏みペタルを連繋したベルト掛替え手段の斜面図である。
【図１０】第２実施例において周回ベルトが空転プーリに掛かっている掃除機の底面図である。
【図１１】第２実施例の掃除機の掃除機本体が後傾した状態の下部説明図である。
【図１２】第２実施例において周回ベルトが駆動プーリに掛かっている掃除機の底面図である。
【図１３】吸引ヘッドの吸口部後壁にリブ付きパッキンを設けた断面図である。
【図１４】従来の吸引ヘッドの吸口部の断面図である。
【符号の説明】
【００２９】
１  掃除機本体
10  モータ軸
２  吸引ヘッド
３  回転掻上げ部材
3a  ロータリーブラシ
34  駆動プーリ
35  空転プーリ
４  周回ベルト
５  ベルト掛替え手段
51  切替え部材
52  切替えレバー
６  パッキン
61  リブ
７  ペタル
【図１】
2006081783.tif 000003
【図２】
2006081783.tif 000004
【図３】
2006081783.tif 000005
【図４】
2006081783.tif 000006
【図５】
2006081783.tif 000007
【図６】
2006081783.tif 000008
【図７】
2006081783.tif 000009
【図８】
2006081783.tif 000010
【図９】
2006081783.tif 000011
【図１０】
2006081783.tif 000012
【図１１】
2006081783.tif 000013
【図１２】
2006081783.tif 000014
【図１３】
2006081783.tif 000015
【図１４】
2006081783.tif 000016